(57)【要約】【課題】蓋材の摘み部を持って容器本体から剥がし、最後まで剥離したときに、特に強い力で引っ張らなくとも、剥がすことができ、そのため、勢いあまって、中の内容物が飛び出したり、こぼれたりすることのない包装容器を提供する。【解決手段】容器本体１と容器本体のフランジ部１１にヒートシールされた蓋材２とからなる包装容器１００であって、蓋材に設けられた摘み部２１の反対側のヒートシール部３の内縁および外縁の形状が、外方に向けて尖って角部３１を形成している。【選択図】図１
2016108012.tif 000002
【特許請求の範囲】
【請求項１】
容器本体と容器本体のフランジ部にヒートシールされた蓋材とからなる包装容器であって、
前記蓋材に設けられた摘み部の反対側のヒートシール部の内縁の形状が、外方に向けて尖っていることを特徴とする包装容器。
【請求項２】
前記蓋材に設けられた摘み部の反対側のヒートシール部の外縁の形状が、外方に向けて尖っていることを特徴とする請求項１に記載の包装容器。
【発明の詳細な説明】
【技術分野】
【０００１】
本発明は、包装容器に関するものである。特に、容器本体と容器本体のフランジ部にヒートシールされた蓋材とからなる包装容器に関するものである。
【背景技術】
【０００２】
成型された容器本体と容器本体のフランジ部にヒートシールされた蓋材とからなる包装容器は、シロップやコーヒー用クリームなどを収納したポーションパックや、ゼリーなどの容器に広く使用されている。
【０００３】
シロップやコーヒー用クリームなどの液体が収納されている場合などでは、内容物を取り出すとき、蓋材を完全に取り去ることなく、ヒートシール部の一部を剥離して、開けた部分から内容物を注ぎだして用いられている。
【０００４】
ところが、ゼリーなどの場合は、容器本体から直接食べたり、あるいは、形を崩さずに皿などに出して供せられたりすることから、蓋材を完全に取り去ることが必要になる。
【０００５】
この場合、蓋材の摘み部を持ってヒートシール部を剥がして開封していくが、最後の摘み部と反対側のヒートシール部では、剥離するヒートシール部の幅が広くなり、剥離するのに強く引かなければならない。そして、完全にヒートシール部を剥離した瞬間に抵抗がなくなり、勢いあまって、中の汁などの液体が飛び出したり、こぼれたりすることがあった。
【０００６】
一方、蓋材の摘み部を持ってヒートシール部を剥がして開封していくときも、剥がし始めにおいては、同様に強く引っ張らなければならないが、これを解消するために、シール形状の工夫が行われている。
【０００７】
蓋部がヒートシールされるべきフランジ部を有する絞り成型容器で、フランジ部の初期開口部となるべき部分が特に広幅になっていて、この部分のヒートシール部を３角形状に外方に突出させて、初期開口を容易にした絞り成型容器がある（特許文献１）。
【０００８】
公知文献を以下に示す。
【先行技術文献】
【特許文献】
【０００９】
【特許文献１】実開昭６２−１９１６１３号公報
【発明の概要】
【発明が解決しようとする課題】
【００１０】
本発明は上記のような事情に鑑みてなされたもので、蓋材の摘み部を持って容器本体から剥がし、最後まで剥離したときに、特に強い力で引っ張らなくとも、剥がすことができ、そのため、勢いあまって、中の内容物が飛び出したり、こぼれたりすることのない包装容器を提供することを課題としている。
【課題を解決するための手段】
【００１１】
本発明は係る課題に鑑みなされたものであり、請求項１の発明は、容器本体と容器本体のフランジ部にヒートシールされた蓋材とからなる包装容器であって、
前記蓋材に設けられた摘み部の反対側のヒートシール部の内縁の形状が、外方に向けて尖
っていることを特徴とする包装容器である。
【００１２】
本発明の包装袋は、以上のような構成であって、摘み部の反対側のヒートシール部の内縁の形状が、外方に向けて尖っているので、蓋材の剥離が内容物収納部を過ぎて剥離する時、剥離の境界線が短くて抵抗が少なく、スムーズに剥離を進めることができる。
【００１３】
本発明の請求項２の発明は、前記蓋材に設けられた摘み部の反対側のヒートシール部の外縁の形状が、外方に向けて尖っていることを特徴とする請求項１に記載の包装容器である。
【００１４】
本発明は、更に、ヒートシール部の外縁の形状も外方に向けて尖っているので、蓋材を完全に剥離するときも直前の剥離の境界線も徐々に短くなり、スムーズに剥離し、除去することができる。
【発明の効果】
【００１５】
本発明の包装容器は、蓋材の摘み部を持って容器本体から剥がし、最後まで剥離したときに、特に強い力で引っ張らなくとも、スムーズに剥がすことができ、そのため、勢いあまって、中の汁などの液体が飛び出したり、こぼれたりすることがない。
【図面の簡単な説明】
【００１６】
【図１】本発明の包装容器の一例を模式的に示した説明図である。（Ａ）平面図である。（Ｂ）正面図である。
【図２】本発明の包装容器の一例で剥離する幅を模式的に示した説明図である。
【図３】従来の包装容器の一例で剥離する幅を模式的に示した説明図である。
【図４】本発明の包装容器の他の例を模式的に平面で示した説明図である。
【発明を実施するための形態】
【００１７】
以下、本発明を実施するための形態につき説明する。
図１は、本発明の包装容器の一例を模式的に示した説明図である。（Ａ）平面図である。（Ｂ）正面図である。
図２は、本発明の包装容器の一例で剥離する幅を模式的に示した説明図である。
図３は、従来の包装容器の一例で剥離する幅を模式的に示した説明図である。
【００１８】
本例の包装容器１００は、図１（Ａ）平面図、（Ｂ）正面図のように、容器本体１と容器本体のフランジ部１１にヒートシールされた蓋材２とからなっている。容器本体１は、フランジ部１１の内縁の形状が円形で、開口部が円形になっている。
【００１９】
フランジ部１１の内縁から下方に狭まりながら向かう側壁が設けられ、側壁の下端部に底部が設けられている。フランジ部１１の形状は、前述のように内縁が円形で、外縁は、円形で且つそこから蓋材の摘み部に合わせて突き出し部が形成されている。
【００２０】
蓋材２は、フィルム状であり、フランジ部１１の外形に合わせた円形で、そこから摘み部２１が突き出るように設けられている。
【００２１】
容器本体１のフランジ部１１と、蓋材２とのヒートシール部３は、容器本体１の開口部を取り巻くように帯状で設けられ、蓋材２に設けられた摘み部２１の反対側のヒートシール部の内縁および外縁の形状が外方に向けて突き出し、尖った角部３１を形成している。
【００２２】
このように尖った角部３１が形成されているので、蓋材２を最後まで剥離し、完全に取
り去るときに、本発明の包装容器１００の場合では、図２のように、角部３１の内縁が剥離され始めるときが、剥離境界の幅が最大の幅ａとなる。
【００２３】
一方、尖った角部３１が形成されていない従来の円形のヒートシール部１３では、図３のように、剥離境界の幅が最大となる摘み部２１の反対側のヒートシール部１３の内縁に接する線状に剥離するとき、剥離境界の幅が最大の幅ｂとなる。比較すると、角部の内縁に接する線で剥離する場合の幅ａは、円に接するような線で剥離する場合の幅ｂよりはるかに小さい。
【００２４】
このため、従来の円形のヒートシール部１３に対し、本発明の包装容器１００のヒートシール部３では、剥離するのに必要な力が小さくて済み、特に強い力で引っ張らなくとも、剥がすことができ、そのため、勢いあまって、中の汁などの液体が飛び出したり、こぼれたりすることがない。
【００２５】
図４は、本発明の包装容器の他の例を模式的に平面で示した説明図である。
【００２６】
本発明の包装容器は、図４に示す包装容器２００のように、摘み部２１の側のヒートシール部１３の形状も、外方に向けて尖らせ、角部３２を設けるようにすることもできる。このようにすることによって、剥離を開始するときにも、小さい力で剥離することができる。
【００２７】
本発明に用いる容器本体１は、プラスチックのシートをシート成型したものでも、インジェクション成型したものでもよい。また、アルミニウムなどの金属箔にプラスチックフィルムを積層して、絞り成型したものでもよい。蓋材２とヒートシールするフランジ部１１の面が蓋材２とヒートシールできる熱可塑性樹脂であればよい。
【００２８】
蓋材２は、基材層とシーラント層からなる積層フィルムからできている。また、基材層やシーラント層自体が多層になっていてもよい。
【００２９】
基材層には、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度である。
【００３０】
また、金属や無機物を蒸着した蒸着フィルムを、基材層として用いることもできる。また、これらを組み合わせて、基材層を多層にして設けても良い。さらには、アルミニウム箔などの金属箔も、多層の基材フィルムの１層として設けることもできる。
【００３１】
蓋材２のシーラント層としては、容器本体１とイージーピール性があるものが好ましく用いられる。また、シール温度によってシール強度が変化しないものが望ましい。このようなシーラント層の樹脂は、ベース熱可塑性樹脂／ブレンド用熱可塑性樹脂のブレンド樹脂を用いるのが好ましい。
【００３２】
容器本体１のフランジ部１１のシールする面である被着体がポリエチレン（ＰＥ）の場合、ベース樹脂／ブレンド用の熱可塑性樹脂の組合せとして、ポリエチレン（ＰＥ）／エチレン−メタクリル酸共重合体（ＥＭＡＡ）、ポリエチレン（ＰＥ）／エチレン−酢酸ビニル共重合体（ＥＶＡ）、ポリエチレン（ＰＥ）／エチレン−アクリル酸共重合体（ＥＡＡ）、ポリエチレン（ＰＥ）／エチレン−アクリル酸エチル共重合体（ＥＥＡ）の組合せが好ましい。
【００３３】
また容器の被着体がポリスチレン樹脂（ＰＳ）の場合、ベース樹脂／ブレンド用の熱可
塑性樹脂の組合せとして、エチレン−酢酸ビニル共重合体（ＥＶＡ）／ポリブテン樹脂（ＰＢ）、ポリエチレン樹脂（ＰＥ）＋エラストマー＋石油樹脂／ポリブテン樹脂（ＰＢ）の組合せが好ましい。
【００３４】
さらに容器の該被着体がポリプロピレン樹脂（ＰＰ）の場合、ベース樹脂／ブレンド用の熱可塑性樹脂の組合せとして、ポリプロピレン樹脂（ＰＰ）／ポリスチレン樹脂（ＰＳ）、ポリプロピレン樹脂（ＰＰ）／ポリエチレン樹脂（ＰＥ）の組合せが好ましい。
【００３５】
シーラント層の厚さは、シール強度、加工性を考慮すると、１５〜１００μｍであることが好ましく、２０〜４０μｍがより望ましい。
【００３６】
また、絵柄印刷層を基材層のおもて面などに設けることができる。また、多層の基材層の場合は、基材層の最外層のフィルムのうら面に絵柄印刷層を設けることが好ましい。絵柄印刷層を設ける印刷方式は、特に限定するものではないが、通常、グラビア印刷、あるいは、フレキソ印刷が用いられる。
【実施例】
【００３７】
以下に、本発明の具体的実施例について説明する。
【００３８】
＜実施例１＞
ポリプロピレン／エチレンビニルアルコール共重合体／ポリプロピレンからなる共押し出しシートを圧空成型し、逆台形状の収納部とフランジ部を有する容器本体１を作成した。
【００３９】
ポリエチレンエレフタレートフィルム、アルミナ蒸着ポリエチレンエレフタレートフィルム、ポリプロピレン用イージーピールフィルムをこの順でドライラミネートにより積層し、蓋材２を作成した。
【００４０】
内容物として、ゼリーを用意し、先の容器本体１の逆台形状の収納部に収納し、蓋材２をかぶせてヒートシールにより密封し、打ち抜き、図４のような、実施例１の包装容器を作成した。
【００４１】
すなわち、蓋材は、円形から摘み部２１が突き出るように設けられていて、摘み部２１の側のヒートシール部の形状が、外方に向けて尖り角部３２が設けられていて、摘み部２１の反対側も外方に向けて突き出て尖った角部３１を形成している。実施例１では、フランジの幅６ｍｍに対し、シール幅は３ｍｍで作成した。
【００４２】
以下に、本発明の比較例について説明する。
【００４３】
＜比較例１＞
ヒートシール部の形状を、摘み部の側のヒートシール部にのみ外方に向けて尖った角部３２を設けた形状にし、摘み部の反対側には、尖った角部３１を設けなかった。これ以外は、実施例１と同様にして、比較例１の包装容器を作成した。
【００４４】
＜試験方法＞
実施例と比較例の包装容器を、それぞれ、摘み部を持って、蓋材を容器本体から剥離し、蓋材を除去してみて、Ａ：開始から中間までの剥離、Ｂ：摘み部と反対側のヒートシール部の内縁部の剥離、Ｃ：蓋を除去するときの剥離に分けて、官能により評価した。その結果を表１にまとめた。
【００４５】
【表１】
2016108012.tif 000003
【００４６】
以下に、実施例と比較例との比較結果について説明する。
【００４７】
＜比較結果＞
実施例１の包装容器は、蓋材を、摘み部を持って容器本体から剥がしたところ、いずれも剥離の位置でも良好に剥離することができ、最後まで剥離したときも、特に強い力で引っ張らなくとも、スムーズに剥がすことができ、蓋材を除去して、内容物を取り出すことが出来た。
【００４８】
一方、比較例１包装容器は、Ｂ：摘み部と反対側のヒートシール部の内縁部の剥離においては、抵抗感があり、また、Ｃ：蓋を除去するときの剥離では、蓋材を除去した時、抵抗が大きく反動があった。
【符号の説明】
【００４９】
１００、２００・・・包装容器
１・・・容器本体
１１・・・フランジ部
２・・・蓋材
２１・・・摘み部
３、１３・・・ヒートシール部
３１、３２・・・角部
ａ、ｂ・・・幅
【図１】
2016108012.tif 000004
【図２】
2016108012.tif 000005
【図３】
2016108012.tif 000006
【図４】
2016108012.tif 000007